(57)【特許請求の範囲】
【請求項１】
波長の異なるレーザ光に対応する複数の記録層が積層方向に配されたハイブリッド型光ディスクであって、
各波長に対応する記録層にそれぞれ当該波長に応じたフォーマットにて複数のコンテンツ情報が記録されるとともに、これらコンテンツ情報の再生を許可する地域が互いに一致するようにして、該地域を規定するためのリージョン情報が前記各波長に対応する前記記録層にそれぞれ記録されており、
第１のフォーマットに対応する第１の地域の一部と第２の地域の一部から第２のフォーマットにおける第３の地域が設定されている場合、前記第１のフォーマットに対応するリージョン情報にて前記第１の地域と前記第２の地域が設定されるとき、前記第２のフォーマットに対応するリージョン情報にて、少なくとも、前記第３の地域が設定される、
ことを特徴とするハイブリッド型光ディスク。
【請求項２】
請求項１に記載のハイブリッド型光ディスクにおいて、
前記各記録層に記録されるリージョン情報は、該リージョン情報にて特定される地域のうち、映像方式が同一の国ないし地域について互いに一致するものとなっている、
ことを特徴とするハイブリッド型光ディスク。
【請求項３】
波長の異なるレーザ光に対応する複数の記録層が積層方向に配されたハイブリッド型光ディスクであって、
各波長に対応する記録層にそれぞれ当該波長に応じたフォーマットにて複数のコンテンツ情報が記録されるとともに、これらコンテンツ情報の再生を許可する地域が互いに一致するようにして、該地域を規定するためのリージョン情報が前記各波長に対応する前記記録層にそれぞれ記録されており、
前記リージョン情報の地域割りが前記フォーマット毎に異なる場合、前記各コンテンツ情報の再生を許可する地域が地域割の広い方に合わせるようにして、前記各コンテンツ情報に付与される前記リージョン情報が設定されている、
ことを特徴とするハイブリッド型光ディスク。
【請求項４】
波長の異なるレーザ光に対応する複数の記録層が積層方向に配されたハイブリッド型光ディスクであって、
各波長に対応する記録層にそれぞれ当該波長に応じたフォーマットにて複数のコンテンツ情報が記録されるとともに、これらコンテンツ情報の再生を許可する地域が互いに一致するようにして、該地域を規定するためのリージョン情報が前記各波長に対応する前記記録層にそれぞれ記録されており、
第１のフォーマットに対応する第１の地域をさらに細分化して第２のフォーマットにおける地域が設定されている場合、前記第１のフォーマットに対応するリージョン情報にて前記第１の地域が設定されるとき、前記第２のフォーマットに対応するリージョン情報にて前記第１の地域を細分化して生成される全ての地域が設定される、
ことを特徴とするハイブリッド型光ディスク。
【請求項５】
波長の異なるレーザ光に対応する複数の記録層が積層方向に配されたハイブリッド型光ディスクであって、
各波長に対応する記録層にそれぞれ当該波長に応じたフォーマットにて複数のコンテンツ情報が記録されるとともに、これらコンテンツ情報の再生を許可する地域が互いに一致するようにして、該地域を規定するためのリージョン情報が前記各波長に対応する前記記録層にそれぞれ記録されており、
第１のフォーマットに対応する第１の地域の一部をさらに細分化して第２のフォーマットにおける地域が設定されている場合、前記第１のフォーマットに対応するリージョン情報にて前記第１の地域が設定されるとき、前記第２のフォーマットに対応するリージョン情報にて、少なくとも、前記第１の地域を細分化して生成される全ての地域が設定される、
ことを特徴とするハイブリッド型光ディスク。
【発明の詳細な説明】
【技術分野】
【０００１】
本発明は、波長の異なるレーザ光に対応する複数の記録層が積層方向に配されたハイブリッド型光ディスクに関するものである。
【背景技術】
【０００２】
現在、波長６５０ｎｍ程度の赤色レーザ光を用いた再生専用型ＤＶＤ（Digital Versatile Disc）が商品化され広く普及している。かかるＤＶＤには、当該ＤＶＤの再生を許可する地域を規定するためのリージョン情報を保持させることができる。
【０００３】
かかるリージョン情報は、映画の劇場公開時期と、当該映画コンテンツを保持するＤＶＤの流通時期を調整するために準備されたものである。すなわち、映画の劇場公開時期が国毎・地域毎に相違することから、劇場未公開のコンテンツを有するＤＶＤが先にその国・地域に流通しても当該ＤＶＤを再生できないようにするために、リージョン情報によって、当該ＤＶＤの再生の可否を地域毎に管理しようとするものである。
【０００４】
ＤＶＤプレーヤには、予め地域コードが付与されており、この地域コードと、装着されたＤＶＤのリージョン情報とが一致する場合にのみ、当該ＤＶＤをそのプレーヤにて再生することができる。
【０００５】
なお、以下の特許文献１には、脱着型の地域データ保持手段をプレーヤに装着することにより、プレーヤが地域を移動した場合にも、その地域をリージョン情報として指定したＤＶＤを再生できるようにすることが記載されている。
【特許文献１】特開２００４−１８５７２４号公報
【発明の開示】
【発明が解決しようとする課題】
【０００６】
現在商品化されている光ディスクのうち、リージョン情報を付加し得るディスクはＤＶＤのみであり、既存のＣＤ（Compact Disc）等にはリージョン情報を設定することが全く想定されていない。このため、たとえば、１枚のディスクにＣＤ層とＤＶＤ層を含めるような場合には、ＤＶＤ層に保持されたコンテンツのみを意識して、リージョン情報を設定すれば良かった。
【０００７】
ところが、最近、波長４０５ｎｍ程度の青色レーザ光を用いた次世代ＤＶＤの規格化が進められ、この規格化においても、リージョン情報をコンテンツに付加することが検討されている。また、この規格化においては、１枚のディスク中に、次世代ＤＶＤフォーマットに従う記録層（以下、ＨＤＤＶＤ層という）と、ＤＶＤフォーマットに従う記録層（以下、ＤＶＤ層という）を積層して配置することが検討されている。この場合、ＨＤＤＶＤ層とＤＶＤ層には、それぞれ個別に、リージョン情報が保持されることとなる。このため、各層のリージョン情報は、各層に保持されたコンテンツのみならず、コンテンツ間の関係や、各層に適用されるフォーマットの相違等をも配慮して設定されなければならなくなる。各層のコンテンツのみを考慮して無造作にリージョン情報が設定されると、ディスク再生時等においてトラブルが発生する可能性がある。
【０００８】
その一方、現在、次世代ＤＶＤとＤＶＤの両方を再生可能なプレーヤでは、１つの地域コードのみしか設定できないこととされている。これは、コンテンツセキュリティの確保等を目的としてプレーヤに課された制約であって、特に、ＤＶＤ規格上、プレーヤに２つ以上の地域コードを付与することが、基本的に禁止されている。このため、上記のように一つのディスクにＨＤＤＶＤ層とＤＶＤ層を含める場合には、プレーヤに設定されているリージョン情報が一つのみであることに配慮しながら、各層に設定されるリージョン情報を適正に設定する必要が生じる。
【０００９】
プレーヤに設定されているリージョン情報が一つのみである場合、各層のリージョン情報が互いに不一致であると、各層のリージョン情報の何れか一方のみでしか指定されていない地域では、何れか一方の記録層に保持されたコンテンツのみしか再生できないとの不都合が生じる。
【００１０】
たとえば、ＨＤＤＶＤ層に設定されたリージョン情報にて地域Ａ、Ｂが指定され、ＤＶＤ層に設定されたリージョン情報にて地域Ａが指定された場合、地域Ｂにおけるプレーヤの地域コードと、ＤＶＤ層のリージョン情報によって指定された地域が、互いに対応しないため、地域Ｂでは、ＤＶＤ層のコンテンツを再生できないとの不都合が生じる。このことは、特に、ＤＶＤ層のコンテンツ情報がＨＤＤＶＤ層のコンテンツ情報を補足するものである場合等、各記録層のコンテンツ情報が相互に関連し合う場合に問題となる。各層のリージョン情報は、プレーヤを使用する各国のユーザにおいて、このような不都合が生じないよう、慎重かつ適正に設定されなければならない。
【００１１】
ところが、次世代ＤＶＤの規格化においては、ＤＶＤ規格にて規定されたものとは別の、新たな地域割りが独自に設定される可能性がある。しかし、このように、規格によって地域割りが相違すると、各層のリージョン情報を不都合なく設定するのが、かなり難しくなる。この場合、互いに似通った地域を各層のリージョン情報として設定しても、これら地域の間に、互いに重複し合わない、所謂、はみ出し部分の地域が生じてしまう。
【００１２】
たとえば、ＤＶＤ規格の地域割りでは、ある地域が地域Ａとして設定されており、その一方で、次世代ＤＶＤ規格の地域割りでは、この地域Ａのうちの一部の地域Ａ１と、地域Ａとは別の地域Ｂとを組み合わせて一つの地域Ｃが設定されているような場合に、ＤＶＤ層に対して地域Ａを指定するリージョン情報を設定し、ＨＤＤＶＤ層に対して地域Ｃを指定するリージョン情報を設定すると、地域Ａ１では、ＨＤＤＶＤ層とＤＶＤ層の両方を再生できるが、地域Ｂでは、ＨＤＤＶＤ層は再生できるもののＤＶＤ層は再生できず、また、地域Ａのうち地域Ａ１以外の地域では、ＤＶＤ層は再生できるもののＨＤＤＶＤ層は再生できないとの不都合が生じる。この問題は、次世代ＤＶＤ規格の地域割りが、ＤＶＤ規格の地域割に対して大きく相違するほど、より顕著な問題となる。
【００１３】
以上のように、ＤＶＤ規格における地域割りと次世代ＤＶＤ規格における地域割りが相違する場合、プレーヤ側には一つの地域コードのみしか設定できないとの制約と相俟って、ＤＶＤ層のリージョン情報とＨＤＤＶＤ層のリージョン情報を、ユーザに不都合なく適正に設定するのが、かなり難しくなるとの問題が生じる。
【００１４】
そこで、本発明は、このような問題を解消し、リージョン情報にて特定された何れの地域ないし国においても、ＨＤＤＶＤ層とＤＶＤ層に記録されたそれぞれのコンテンツを円滑に再生できるハイブリッド型光ディスクを提供することを課題とする。
【課題を解決するための手段】
【００１５】
上記課題に鑑み本発明は、それぞれ以下の特徴を有する。
【００１６】
請求項１の発明は、波長の異なるレーザ光に対応する複数の記録層が積層方向に配されたハイブリッド型光ディスクであって、各波長に対応する記録層にそれぞれ当該波長に応じたフォーマットにて複数のコンテンツ情報が記録されるとともに、これらコンテンツ情報の再生を許可する地域が互いに一致するようにして、該地域を規定するためのリージョン情報が前記各波長に対応する前記記録層にそれぞれ記録されており、第１のフォーマットに対応する第１の地域の一部と第２の地域の一部から第２のフォーマットにおける第３の地域が設定されている場合、前記第１のフォーマットに対応するリージョン情報にて前記第１の地域と前記第２の地域が設定されるとき、前記第２のフォーマットに対応するリージョン情報にて、少なくとも、前記第３の地域が設定されることを特徴とする。
【００１７】
請求項２の発明は、請求項１に記載のハイブリッド型光ディスクにおいて、前記各記録層に記録されるリージョン情報は、該リージョン情報にて特定される地域のうち、映像方式が同一の国ないし地域について互いに一致するものとなっていることを特徴とする。
【００１８】
請求項３の発明は、波長の異なるレーザ光に対応する複数の記録層が積層方向に配されたハイブリッド型光ディスクであって、各波長に対応する記録層にそれぞれ当該波長に応じたフォーマットにて複数のコンテンツ情報が記録されるとともに、これらコンテンツ情報の再生を許可する地域が互いに一致するようにして、該地域を規定するためのリージョン情報が前記各波長に対応する前記記録層にそれぞれ記録されており、前記リージョン情報の地域割りが前記フォーマット毎に異なる場合、前記各コンテンツ情報の再生を許可する地域が地域割の広い方に合わせるようにして、前記各コンテンツ情報に付与される前記リージョン情報が設定されていることを特徴とする。
【００１９】
請求項４の発明は、波長の異なるレーザ光に対応する複数の記録層が積層方向に配されたハイブリッド型光ディスクであって、各波長に対応する記録層にそれぞれ当該波長に応じたフォーマットにて複数のコンテンツ情報が記録されるとともに、これらコンテンツ情報の再生を許可する地域が互いに一致するようにして、該地域を規定するためのリージョン情報が前記各波長に対応する前記記録層にそれぞれ記録されており、第１のフォーマットに対応する第１の地域をさらに細分化して第２のフォーマットにおける地域が設定されている場合、前記第１のフォーマットに対応するリージョン情報にて前記第１の地域が設定されるとき、前記第２のフォーマットに対応するリージョン情報にて前記第１の地域を細分化して生成される全ての地域が設定されることを特徴とする。
【００２０】
請求項５の発明は、波長の異なるレーザ光に対応する複数の記録層が積層方向に配されたハイブリッド型光ディスクであって、各波長に対応する記録層にそれぞれ当該波長に応じたフォーマットにて複数のコンテンツ情報が記録されるとともに、これらコンテンツ情報の再生を許可する地域が互いに一致するようにして、該地域を規定するためのリージョン情報が前記各波長に対応する前記記録層にそれぞれ記録されており、第１のフォーマットに対応する第１の地域の一部をさらに細分化して第２のフォーマットにおける地域が設定されている場合、前記第１のフォーマットに対応するリージョン情報にて前記第１の地域が設定されるとき、前記第２のフォーマットに対応するリージョン情報にて、少なくとも、前記第１の地域を細分化して生成される全ての地域が設定されることを特徴とする。
【００２２】
なお、上記請求項４の発明における「第１の地域」は、以下の実施形態において、コード２にて特定される“グリーンランド”と“日本”からなる地域（図４（ａ）参照）が対応する。また、上記請求項４の発明における「第２のフォーマットにおける地域」は、以下の実施形態において、コードｍにて特定される“グリーンランド”とコードｎにて特定される“日本”（図４（ｂ）参照）、あるいは、コードｍにて特定される“グリーンランド”とコードｎにて特定される“西日本”およびコードｎ＋１にて特定される“東日本”（図４（ｃ）参照）が対応する。
【００２３】
また、上記請求項５の発明における「第１の地域」は、以下の実施形態において、コード３にて特定される“韓国”と“東アジア諸国”からなる地域（図５（ａ）参照）が対応する。また、上記請求項５の発明における「第２のフォーマットにおける地域」は、以下の実施形態において、コードｒ＋１、ｒ＋２、ｒ＋３およびｒ＋４にてそれぞれ特定される“台湾”、“カンボジア”、“フィリピン”および“ミャンマー”（図５（ｃ）参照）が対応する。
【００２４】
また、上記請求項１の発明における「第１の地域」は、以下の実施形態において、コード２にて特定される“グリーンランド”と“日本”からなる地域（図５（ａ）参照））が対応する。また、上記請求項６の発明における「第２の地域」は、以下の実施形態において、コード３にて特定される“韓国”と“東南アジア諸国”からなる地域（図５（ａ）参照））が対応する。また、上記請求項６の発明における「第３の地域」は、以下の実施形態において、コードｑにて特定される“日本”と“韓国”からなる地域（図５（ｂ）参照））が対応する。
【００２５】
さらに、上記請求項４ないし５の発明における「第１のフォーマット」および「第２のフォーマット」は、それぞれ、以下の実施形態において、ＤＶＤ規格に従うフォーマットおよびＨＤＤＶＤ規格に従うフォーマットが対応する。
【００２６】
ただし、以下の実施形態は、本発明の技術的範囲を何ら制限するものではない。
【発明の効果】
【００２７】
本発明によれば、再生許可地域が互いに一致するようにして、各コンテンツ情報のリージョン情報が設定されているため、同一ディスク内に含まれる何れのコンテンツ情報も、当該ディスクの仕向け地におけるプレーヤにて、適正に再生することができる。
【００２８】
ここで、コンテンツ情報が映像情報である場合、各記録層に付与されるリージョン情報は、請求項２に記載のように、該リージョン情報にて特定される地域のうち、少なくとも、映像方式が同一の国ないし地域について互いに一致ように設定することができる。
【００２９】
この場合、たとえば、ＮＴＳＣ方式に従うコンテンツ情報は、別途コンバータを通さない限り、ＰＡＬ方式に従うプレーヤでは再生できない。したがって、コンテンツ情報は、それに対応する映像方式を採用する国において再生許可されていればよく、よって、各記録層のリージョン情報も、請求項２に記載のように、映像方式が共通する国ないし地域間において一致していればよい。少なくともこうしておけば、各コンテンツ情報の再生が本来的に意図された国ないし地域において、何れのコンテンツ情報をも、円滑に再生できるようになる。
【００３０】
なお、このように、映像方式が共通する国ないし地域間において再生許可地域を一致させるようにすれば、再生許可地域の一致を取り易くすることができるとの効果を奏することもできる。
【００３１】
また、このようにして再生許可地域の一致を求めれば、記録層毎に異なる方法にて地域割りされた地域区分を適宜複数組み合わせながら各記録層に対する再生許可地域を一致させる場合に、不必要に広範な地域まで組み合わせる必要がなくなり、よって、再生許可地域を必要な地域のみに効率的に絞り込むことができる。
【００３２】
なお、本発明によれば、１枚のディスクにて複数のコンテンツを必ず再生できるため、ユーザにおいて、コンテンツ情報毎にディスクを個別に購入しなければならないとの負担を回避することができる。また、各フォーマットにおける地域割が互いに異なる場合にも、対応する地域のプレーヤであれば、ディスク内の全てのコンテンツ情報を必ず再生することができため、ユーザは、フォーマット毎に地域割りが相違することを特に意識することなく、気軽に、ハイブリッド型光ディスクを購入することができる。したがって、本発明によれば、ディスク購入時におけるユーザの利便性を高めることができる。
【００３３】
ディスク供給者側においても、リージョン情報を細かく設定したディスクを個別に用意する必要がないため、在庫の管理が容易になるとのメリットが奏される。また、同じ地域にリージョン情報を付け直して同一コンテンツのディスクを再度供給するとの無駄が省かれるため、ディスク供給の効率化を図ることができる。したがって、本発明によれば、ディスク供給者におけるディスク管理の簡易化とコスト負担の軽減を図ることができる。
【００３４】
本発明の特徴ないし効果は、以下に示す実施形態の説明によって更に明らかとなろう。ただし、以下の実施形態は、あくまでも、本発明の一つの実施形態であって、本発明ないし各構成要件の用語の意義は、以下の実施の形態に記載されたものに制限されるものではない。
【発明を実施するための最良の形態】
【００３５】
以下、本発明の実施の形態につき図面を参照して説明する。
【００３６】
図１に、ハイブリッド型の次世代ＤＶＤ（再生専用タイプ）の構造を示す。
【００３７】
ハイブリッド型次世代ＤＶＤ１は、片面にＨＤＤＶＤ層１２が形成された基板１１と、片面にＤＶＤ層１４が形成された基板１３を、接着層１５によって貼り合わせ、さらに基板１１の反対側の面に印刷層１６を形成した構造となっている。レーザ光は、基板１３側から入射される。ＨＤＤＶＤ層１２とＤＶＤ層１４には螺旋状にピット列が形成されている。
【００３８】
ＤＶＤ層１４のフォーマットは、ＤＶＤ規格に従ったものとなっている。なお、ＤＶＤ層１４のリードイン情報には、ＨＤＤＶＤ層１２が存在することを示す情報は含まれていない。ＨＤＤＶＤ層１２のフォーマットは、次世代ＤＶＤ規格に従ったものとなっている。
【００３９】
ＤＶＤ層１４とＨＤＤＶＤ層１２には、それぞれ、リードイン情報等のディスク管理情報が保持されている。つまり、ＤＶＤ層１４とＨＤＤＶＤ層１２には、ディスク管理情報の一つとして、再生地域を許可するリージョン情報が保持される。
【００４０】
図２に、ハイブリッド型次世代ＤＶＤのエリアフォーマットを示す。
【００４１】
図示の如く、ＨＤＤＶＤ層１２とＤＶＤ層１４は、それぞれ、ディスク内周側から順に、リードインエリア、データエリア、リードアウトエリアに分割されている。このうち、リードインエリアには、管理情報の一つとして、リージョン情報が保持される。上述の如く、リージョン情報は、各記録層に記録されたコンテンツ情報の再生を許可する地域を規定するための情報である。
【００４２】
同図に示すデータ構造において、たとえば、ＨＤＤＶＤ層１２のデータエリアには、ハイビジョンモードのビデオコンテンツ（コンテンツＡ）が保持され、また、そのリードインエリアには、リージョン情報Ａが保持される。また、ＤＶＤ層１４のデータエリアには、ＨＤＤＶＤ層１２のビデオコンテンツを補足するノーマルモードのビデオコンテンツ（コンテンツＢ）が保持され、また、そのリードインエリアには、リージョン情報Ｂが保持される。このとき、各コンテンツの映像方式（ＮＴＳＣ、ＰＡＬ等）は同一となっている。
【００４３】
なお、各記録層のリージョン情報は、それにより特定される地域のうち、ビデオコンテンツに対応する映像方式に対応する国ないし地域が互いに一致するものとなっている。
【００４４】
図３に、ＤＶＤ層１４に適用されるリージョン情報の構成を示す。
【００４５】
図示の如く、ＤＶＤ層１４に適用されるリージョン情報には、コード０〜コード８の９個のコードが割り振られている。各コードには、それぞれ再生可能地域（地域Ａ〜地域Ｆ）が対応付けられている。ここで、地域Ａ〜地域Ｆは、世界を６つの領域に分割したときの各分割領域に対応している。
【００４６】
なお、地域Ａ〜地域Ｆには、映像方式が異なる国ないし地域が含まれる場合がある。たとえば、コード１に対応する地域Ａには、ＮＴＳＣ方式に従う国ないし地域（北米）のみが含まれるが、コード２に対応する地域Ｂには、ＮＴＳＣ方式に従う国ないし地域（日本・グリーンランド）と、ＰＡＬ方式およびＳＥＣＡＭ方式に従う国ないし地域（ヨーロッパ諸国、等）が含まれる。
【００４７】
リージョン情報は、コード０〜コード８の９個のコードに対応する９ビットのデータから構成されている。かかる９ビットのデータのうち、各コードに対応するデータビット位置が“１”または“０”の何れになっているかによって、地域Ａ〜Ｆの再生の可否が設定される。たとえば、コード１〜６に対応するデータビット位置に“１”がセットされると、そのコードに対応付けられた地域Ａ〜Ｆでの再生が許可され、“０”がセットされると、そのコードに対応付けられた地域Ａ〜Ｆでの再生が禁止される。なお、コード０に対応するデータビット位置に“１”がセットされると、全世界における再生が許可される。
【００４８】
ＨＤＤＶＤ層１２に適用されるリージョン情報も、図３の場合と同様にして構成される。ただし、ＨＤＤＶＤ層１２に適用されるリージョン情報における地域割りは、以下の実施例の如く、ＤＶＤ層１４に適用されるリージョン情報の地域割りと相違する場合が想定される。
【実施例１】
【００４９】
図４は、図３に示す地域割りがさらに細分化されてＨＤＤＶＤ層に適用された場合の地域コードと分割地域の関係を示すものである。なお、同図には、各コードに対応する国ないし地域のうち、ＮＴＳＣ方式に従う国ないし地域のみが示されている。
【００５０】
同図（ｂ）は、同図（ａ）に示すＤＶＤ用の地域割りが細分化されたことにより、ＤＶＤ層１４ではコード２に対応付けられていたグリーンランドと日本が、ＨＤＤＶＤ層１２では、コードｍとコードｎの２つのコードに分割されたときの構成例を示すものである。
【００５１】
同図（ｃ）は、同図（ｂ）よりもさらに細分化が進み、日本が西日本と東日本の２つの地域に分割されて、それぞれコードｎとコードｎ＋１に対応付けられたときの構成例を示すものである。
【００５２】
本実施例では、上記の如く、ＨＤＤＶＤ層１２およびＤＶＤ層１４のリージョン情報は、それにより特定される地域のうち、各層のビデオコンテンツに対応する映像方式に対応する国ないし地域が互いに一致するものとされる。
【００５３】
たとえば、ＨＤＤＶＤ層１２における地域割りが図４（ｂ）のようになっている場合には、ＤＶＤ層のリージョン情報は、コード２に対応するデータビット位置のみに“１”がセットされ、ＨＤＤＶＤ層のリージョン情報は、コードｍとコードｎに対応するデータビット位置のみに“１”がセットされる。この場合、各記録層のビデオコンテンツは、ＮＴＳＣ方式に従うものとされる。これにより、ＨＤＤＶＤ層１２とＤＶＤ層１４に記録された各ビデオコンテンツは、何れも、ＮＴＳＣ方式を採用する日本とグリーンランドにおいて再生可能となる。
【００５４】
同様に、ＨＤＤＶＤ層１２における地域割りが図４（ｃ）のようになっている場合は、ＤＶＤ層のリージョン情報は、コード２に対応するデータビット位置のみに“１”がセットされ、ＨＤＤＶＤ層のリージョン情報は、コードｍとコードｎおよびコードｎ＋１に対応するデータビット位置のみに“１”がセットされる。この場合も、各記録層のビデオコンテンツは、ＮＴＳＣ方式に従うものとされる。これにより、ＨＤＤＶＤ層１２とＤＶＤ層１４に記録された各ビデオコンテンツは、何れも、ＮＴＳＣ方式を採用する日本とグリーンランドにおいて再生可能となる。
【００５５】
このように本実施例では、ＨＤＤＶＤのリージョンコードが現在のＤＶＤよりも細分化されて規定された場合であっても、ＤＶＤで再生可能な地域とＨＤＤＶＤで再生可能な地域が一致するよう、各層のリージョン情報が設定される。このため、ＨＤＤＶＤ層１２とＤＶＤ層１４に記録されたビデオコンテンツの何れか一方しか再生できないような地域が生じるようなことはない。
【００５６】
なお、本実施例では、地域割りの広い（設定できる数が少ない）方に合わせるようにして地域割りの狭い方のリージョンコードが設定される。この場合、地域割の広い方の地域を仕向け地として、同一種類のハイブリッド型次世代ＤＶＤを供給すれば良いため、ディスク供給者における在庫管理が容易となる。また、同じ地域にリージョン情報を付け直して同一コンテンツのディスクを再度供給する必要がなくなるため、効率的なディスク供給を行うことができ、よって、ディスク供給者におけるコスト負担の軽減を図ることができる。
【００５７】
さらに、仕向け地とされる地域では、ＨＤＤＶＤ層とＤＶＤ層のコンテンツを必ず再生できるため、当該地域におけるユーザは、ＤＶＤ層用のリージョンコードとＨＤＤＶＤ層用のリージョンコードが相違することを特に意識することなく、気軽にハイブリッド型次世代ＤＶＤを購入することができ、よって、ディスク購入時におけるユーザの利便性を高めることができる。
【実施例２】
【００５８】
図５は、図３に示す地域割りの境界が変更されてＨＤＤＶＤ層に適用された場合の地域コードと分割地域の関係を示すものである。なお、同図には、各コードに対応する国ないし地域のうち、ＮＴＳＣ方式に従う国ないし地域のみが示されている。
【００５９】
同図（ｂ）は、同図（ａ）に示すＤＶＤ用の地域割りの境界が変更されたことにより、ＤＶＤ層１４ではコード２とコード３に分散して対応付けられていた日本と韓国が、ＨＤＤＶＤ層１２では、コードｑに統括されたときの構成例を示すものである。
【００６０】
同図（ｃ）は、同図（ｂ）からさらに細分化が進み、東南アジア諸国が各国毎に分割されて、それぞれコードｒ＋１〜コードｒ＋４に対応付けられたときの構成例を示すものである。
【００６１】
ＨＤＤＶＤ層１２における地域割りが図５（ｂ）のようになっている場合には、ＤＶＤ層のリージョン情報は、たとえば、コード２とコード３に対応するデータビット位置のみに“１”がセットされ、ＨＤＤＶＤ層のリージョン情報は、コードｐ、コードｑおよびコードｒに対応するデータビット位置のみに“１”がセットされる。この場合、各記録層のビデオコンテンツは、ＮＴＳＣ方式に従うものとされる。これにより、ＨＤＤＶＤ層１２とＤＶＤ層１４に記録された各ビデオコンテンツは、何れも、ＮＴＳＣ方式を採用する日本とグリーンランド、韓国および東南アジア諸国において再生可能となる。
【００６２】
同様に、ＨＤＤＶＤ層１２における地域割りが図５（ｃ）のようになっている場合は、ＤＶＤ層のリージョン情報は、コード２とコード３に対応するデータビット位置のみに“１”がセットされ、ＨＤＤＶＤ層のリージョン情報は、コードｐ、コードｑおよびコードｒ＋１〜コードｒ＋４に対応するデータビット位置のみに“１”がセットされる。この場合も、各記録層のビデオコンテンツは、ＮＴＳＣ方式に従うものとされる。これにより、ＨＤＤＶＤ層１２とＤＶＤ層１４に記録された各ビデオコンテンツは、何れも、ＮＴＳＣ方式を採用する日本とグリーンランド、韓国および東南アジア諸国において再生可能となる。
【００６３】
このように本実施例では、ＨＤＤＶＤの地域割りの境界が現在のＤＶＤとは相違するように規定された場合であっても、ＤＶＤで再生可能な地域とＨＤＤＶＤで再生可能な地域が一致するよう、各層のリージョン情報が設定される。このため、ＨＤＤＶＤ層１２とＤＶＤ層１４に記録されたビデオコンテンツの何れか一方しか再生できないような地域が生じることはない。
【００６４】
また、上記実施例１と同様、ディスク供給者における在庫管理の簡易化とコスト負担の軽減を図ることができ、さらに、ディスク購入時におけるユーザの利便性を高めることができる。
【００６５】
図６に、ハイブリッド型次世代ＤＶＤを再生可能なプレーヤにディスクを装着した場合の基本的動作フローの一例を示す。
【００６６】
ディスクがプレーヤに装着されると、まず、ディスク判別処理が行われる（Ｓ１０１）。かかるディスク判別は、たとえば、当該ディスクに対して赤色レーザ光と青色レーザ光を順次照射しながら各層に対する引き込みと読み取り可否の判別を行い、その結果から、当該ディスクに含まれるＤＶＤ層とＨＤＤＶＤ層の層数を検出することによって行われる。
【００６７】
かかるディスク判別にて、装着されたディスクがハイブリッド型次世代ＤＶＤであると判別されると、まず、各記録層のリードイン情報が読み取られ、メモリに格納される（Ｓ１０２）。しかる後、リードイン情報内に含まれるリージョン情報が参照され、これにより許可された地域が、当該プレーヤに付与された地域コードと一致するかが判別される（Ｓ１０３）。
【００６８】
ここで、各記録層について地域コードが一致すれば、ＨＤＤＶＤ層１２とＤＶＤ層１４に記録された各コンテンツの内容に応じたメニュー画面が表示される（Ｓ１０４）。これに応じて、ユーザが何れかのコンテンツの選択指令を入力すると（Ｓ１０５）、選択された記録層の再生が開始される（Ｓ１０６）。かかる再生は、ユーザから記録層を切り替える操作指令が入力されるまで継続される（Ｓ１０７）。そして、切り替え指令が入力されると、切り替え対象とされる記録層のコンテンツメニューが表示される（Ｓ１０８）。これに応じて、ユーザからメニュー選択がなされると（Ｓ１０５）、これに応じて、切り替え先の記録層の再生が開始される。
【００６９】
Ｓ１０３の判別において、ＨＤＤＶＤ層についてのみ地域コードが一致する場合には、ＨＤＤＶＤ層１２に記録されたコンテンツのメニュー画面が表示される（Ｓ１１０）。これに応じて、ユーザからメニュー選択がなされると（Ｓ１１１）、それに従ってＨＤＤＶＤ層１２の再生が開始される（Ｓ１１２）。かかる再生の途中に、ユーザから記録層を切り替える操作指令が入力されても（Ｓ１１３:Ｙ）、ＤＶＤ層１４の再生は許可されていないため、ＤＶＤ層１４の再生には移行されない。この場合、画面にエラー通知が重ね表示され（Ｓ１１４）、ＨＤＤＶＤ層の再生が継続される（Ｓ１１２）。
【００７０】
Ｓ１０３の判別において、ＤＶＤ層についてのみ地域コードが一致する場合には、ＤＶＤ層１４に記録されたコンテンツのメニュー画面が表示される（Ｓ１２０）。これに応じて、ユーザからメニュー選択がなされると（Ｓ１２１）、それに従ってＤＶＤ層１２の再生が開始される（Ｓ１２２）。かかる再生の途中に、ユーザから記録層を切り替える操作指令が入力されても（Ｓ１２３：Ｙ）、ＨＤＤＶＤ層１２の再生は許可されていないため、ＨＤＤＶＤ層１２の再生には移行されない。この場合、画面にエラー通知が重ね表示され（Ｓ１２４）、ＨＤＤＶＤ層の再生が継続される（Ｓ１１２）。
【００７１】
本実施の形態に係るハイブリッド型次世代ＤＶＤが当該プレーヤに装着された場合には、ＨＤＤＶＤ層１２とＤＶＤ層１４のリージョン情報が、映像方式が一致する範囲で、互いに一致しているため、これら一致する地域のうち何れの地域でこのハイブリッド型次世代ＤＶＤを使用する場合にも、必ず、Ｓ１０３からＳ１０４へと進むフローが実行されることとなる。
【００７２】
たとえば、上記図４に示す地域割りにて上述の如くリージョン情報が設定された場合には、日本およびグリーンランドの何れにおいて当該ディスクが使用される場合も、Ｓ１０３からＳ１０４へと進む処理フローが実行され、ＨＤＤＶＤ層１２とＤＶＤ層１４に記録された各コンテンツの再生が実行される。同様に、上記図５に示す地域割りにて上述の如くリージョン情報を設定した場合には、日本とグリーンランド、韓国および東南アジア諸国の何れにおいて当該ディスクが使用される場合も、Ｓ１０３からＳ１０４へと進む処理フローが実行され、ＨＤＤＶＤ層１２とＤＶＤ層１４に記録された各コンテンツの再生が実行される。
【００７３】
以上、本発明に係る実施の形態について説明したが、本発明は、上記実施の形態に限定されるものではなく、他に種々の変更が可能である。
【００７４】
たとえば、上記実施の形態では、ＨＤＤＶＤ層とＤＶＤ層を１層ずつ有するハイブリッド型ディスクを例示したが、本発明は、ＨＤＤＶＤ層とＤＶＤ層に限らず、異なる波長のレーザ光に対応した複数の記録層が配されたハイブリッド型ディスクに適用可能なものである。
【００７５】
上記実施例では、ＤＶＤ規格とＨＤＤＶＤ規格を具体的に取り上げて説明されているが、本発明は、これらの規格のみに限定されるものではなく、たとえば、ＨＤＤＶＤ規格に代えてブルーレイ規格を採用するようにしてもよい。また、ディスクの構造は図１に示したものに限定されるものではなく、レーザ入射側に、さらに、複数の規格に対応する層が存在するものであっても良い。つまり、１枚のディスクの内に２種類以上の規格に準拠する層が配されており、それぞれの層に、異なる規格に従ってリージョンコードが付与されていれるものであれば、本発明を適用可能である。本発明が適用されるディスクには、規格に準拠した複数の記録層に、少なくとも２種類のリージョンコードが含まれていればよい。
【００７６】
なお、各波長に対応した記録層の層数は１層ずつに限らず、複数層ずつ配置されるものであってもよい。この場合、リージョン情報は、コンテンツ情報毎に付加される。たとえば、ＤＶＤ層が１層、ＨＤＤＶＤ層が２層配されており、ＨＤＤＶＤ層には２層に亘って１つのコンテンツ情報が保持されている場合には、リージョン情報は、ＤＶＤ層とＨＤＤＶＤ層にそれぞれ１つずつ付加される。また、ＤＶＤ層が１層、ＨＤＤＶＤ層が２層配されており、ＨＤＤＶＤ層にはそれぞれに１つずつコンテンツ情報が保持されている場合には、リージョン情報は、ＤＶＤ層と、ＨＤＤＶＤ層の１層目、２層目にそれぞれ１つずつ付加される。
【００７７】
なお、上記実施の形態では、リージョン情報にて特定される国ないし地域のうち、映像方式が同一の国ないし地域を互いに一致させるようにしたが、リージョン情報にて特定される国ないし地域の全てを互いに一致させるようにしても良い。この方法は、特に、各記録層に保持されたコンテンツがビデオコンテンツではない場合、たとえばオーディオコンテンツが記録される場合に用いて有効なものとなる。
【００７８】
また、上記実施例では、リードインエリアの管理情報の１つとしてリージョン情報を保持するものとしたが、リージョン情報を、データを暗号化する暗号コードの１つとして、データ領域に付加してもよく、例えば、ＤＶＤ層とＨＤＤＶＤ層のリージョン情報の付加方法が異なっていてもよい。一例として、ＨＤＤＶＤ層では、リードインの情報内のリージョン情報に拘わるビットによってリージョン情報を付与し、ＤＶＤ層では、データを暗号化する暗号コードの末尾をリージョンコード情報に基づいたものとすることによりリージョン情報を付与するようにしてもよい。
【００７９】
なお、ＤＶＤ規格において、リージョンコードは、リードインのコントロールデータゾーン（ディスク管理領域）、データ領域内のアドレス情報のヘッダー情報の一部、ファイル管理情報（ビデオ情報管理テーブル）に含めることができるとされている。この他、暗号化する暗号キーの一部等も使用することができ、データフォーマット内の様々なエリアにリージョンコードを付加することが可能である。
【００８０】
本発明のように、１枚の光ディスク内に複数種類のリージョン情報を設定可能な場合において、再生可能な地域を一致させるように各リージョン情報を設定するようにすると、光ディスク内の全てのコンテンツを再生することが可能となる。本発明に係る光ディスクを採用すれば、１枚の光ディスク内において各リージョン情報が全く異なっているために、あるコンテンツは再生可能だが、あるコンテンツは再生できないようなディスクが流通することがないので、ユーザにとって前記のような不都合が生じないという利点が生じることはもちろんのこと、コンテンツを提供するメーカに対しても、リージョン情報の設定に関する秩序を与えることができる。
【００８１】
この他、本発明は、特許請求の範囲に示された技術的思想の範囲内において、適宜、種々の変更が可能である。
【図面の簡単な説明】
【００８２】
【図１】実施の形態に係る光ディスクの構成を示す図
【図２】実施の形態に係る光ディスクのエリアフォーマットを示す図
【図３】ＤＶＤ層に適用されるリージョン情報の構成を示す図。
【図４】ＨＤＤＶＤ層に適用されるリージョン情報の構成例を示す図。
【図５】ＨＤＤＶＤ層に適用されるリージョン情報の他の構成例を示す図。
【図６】ディスク再生時の基本的動作フローの一例を示す図。
【符号の説明】
【００８３】
１  ハイブリッド型次世代ＤＶＤ
【図１】
0004484838.tif 000002
【図２】
0004484838.tif 000003
【図３】
0004484838.tif 000004
【図４】
0004484838.tif 000005
【図５】
0004484838.tif 000006
【図６】
0004484838.tif 000007